(57)【要約】【課題】  セキュリティポリシーの運用チェックリストデータを利用者に配信するシステムにおいて、情報システムの構成の変更を自動的にその運用チェックリストデータに反映可能なシステムを提供することである。【解決手段】サーバ装置１２が、運用チェックリストデータを各端末装置１４に送信する。利用者は、運用チェックリストデータに基づき、自分の行為のチェックを行う。運用チェックリストデータ生成手段１２ｅは、まず、運用チェックリストデータ中から、その利用者に関連する項目のみを取り出して初期運用チェックリストデータを作成する。次に、送受信手段１２ｂは、商品データベースの中を検索し、情報システムを構成する各商品によって自動的に達成される運用チェックリストデータの項目以外の上記初期運用チェックリストデータを配信の対象とする。したがって、チェックリストデータの項目数が減り、利用者の負担が減少する。【選択図】    図１
2006172169.tif 000002
【特許請求の範囲】
【請求項１】
サーバ装置と、端末装置と、から構成されるセキュリティポリシー運用管理システムにおいて、
前記サーバ装置は、
セキュリティポリシー及びセキュリティポリシーに対応して作成された運用チェックリストデータを記憶するセキュリティポリシー記憶手段と、
情報システムを構成する商品に関する情報を格納した商品データベースと、
前記セキュリティポリシー記憶手段内の運用チェックリストデータから、各利用者が遵守すべき運用チェックリストデータを抽出し、運用チェックリストデータを各利用者毎に生成する運用チェックリストデータ作成手段と、
前記商品データベースを検索し、各商品を導入することによって満たされる運用チェックリストデータ以外の前記生成した運用チェックリストデータを、前記各端末装置に送信する運用チェックリスト送信手段と、
を含み、
前記端末装置は、
前記サーバ装置から送信されてきた運用チェックリストデータを表示する端末側表示手段と、
利用者が入力したデータであって、前記運用チェックリストデータに対する運用状況を表す報告データを、前記サーバに送信する報告送信手段と、
を含むことを特徴とするセキュリティポリシー運用管理システム。
【請求項２】
セキュリティポリシー及びセキュリティポリシーに対応して作成された運用チェックリストデータを記憶するセキュリティポリシー記憶手段と、情報システムを構成する商品に関する情報を格納した商品データベースと、を備えたサーバ装置と、
端末装置と、
から構成されるセキュリティポリシー運用管理システムにおいて用いられる前記サーバ装置において、
前記セキュリティポリシー記憶手段内の運用チェックリストデータから、各利用者が遵守すべき運用チェックリストデータを抽出し、運用チェックリストデータを各利用者毎に生成する運用チェックリストデータ作成手段と、
前記商品データベースを検索し、各商品を導入することによって満たされる運用チェックリストデータ以外の前記生成した運用チェックリストデータを、外部に送信する運用チェックリスト送信手段と、
を含むことを特徴とするサーバ装置。
【請求項３】
請求項２記載のサーバ装置として、コンピュータを動作させるプログラムにおいて、前記コンピュータに、
前記セキュリティポリシー記憶手段内の運用チェックリストデータから、各利用者が遵守すべき運用チェックリストデータを抽出し、運用チェックリストデータを各利用者毎に生成する運用チェックリストデータ作成手順と、
その後、前記商品データベースを検索し、各商品を導入することによって満たされる運用チェックリストデータ以外の前記生成した運用チェックリストデータを、外部に送信する運用チェックリスト送信手順と、
を実行させることを特徴とするプログラム。
【発明の詳細な説明】
【技術分野】
【０００１】
本発明は、情報システムのセキュリティポリシーの運用・管理に関する。
【背景技術】
【０００２】
情報通信技術の発達と共に、所定の団体が備えている情報システムの情報セキュリティが重要視されている。特に、近年においては、セキュリティポリシーの重要性が注目されている。
【０００３】
例えば、日本国の政府においては、平成１２年７月に内閣官房内閣安全保障・危機管理室から「情報セキュリティポリシーに関するガイドライン」が発表され、中央省庁では、情報セキュリティポリシーが作成されている。
【０００４】
また、本願発明者は、団体のメンバーに対して質問を行い、その回答から現状を把握し、セキュリティポリシーの作成を支援する装置・方法を、独自に開発している。このような装置・方法に関しては、特許文献１に記載されている。特許文献１では、例えばエキスパートシステムの技術を用いて上記装置を構成し、上記方法を実行する旨の記載がある。
【０００５】
さて、セキュリティポリシーは作成した後の運用が重要である。特に、企業（団体）の各従業員（メンバー）がセキュリティポリシーに従った行動を取ることが重要である。
【０００６】
しかしながら、各従業員はセキュリティポリシーに必ずしも精通しているわけではなく、自分がどのような行動をするべきか把握しきれない可能性も決して小さくはない。
【０００７】
そこで、本願発明者は、セキュリティポリシーに対応して各員が遵守すべき内容を記述した運用チェックリストデータを作成することを考案した。そして、セキュリティポリシーに対応して作成された上記運用チェックリストデータの中から、各従業員が遵守すべき事項等を取り出し、各従業員に分配する仕組みがあれば便利であると本願発明者は考えた。
【０００８】
本願発明者は上記考えに基づき、そのような分配の仕組みについて独自にシステム（以下、独自の運用管理システムという）を開発した。その独自の運用管理システムによれば、各従業員は、自己がなすべき事項のリストをサーバ装置から受け取り、自己が実施したことをそのリストにチェックを入れることによって（サーバに）報告をする。このリストは既に述べたように「運用チェックリストデータ」と呼ぶ。なお、この運用チェックリストデータは、運用対策データと呼ぶ場合もある。
【０００９】
これによって、この独自の運用管理システムによれば、管理者は、この報告を見ることによって、セキュリティポリシーの運用状況を正確に把握することができる。
【００１０】
また、下記特許文献２には、ＶＰＮ管理者の負担を減少させることができるセキュリティポリシーの管理方法が示されている。
【００１１】
【特許文献１】特開２００２−５６１７６号公報
【特許文献２】特開２００１−２５１３０７号公報
【発明の開示】
【発明が解決しようとする課題】
【００１２】
ところで、新しい情報セキュリティ機器（例えばファイアーウォールや、ウィルス対策ソフトウェア等）を導入した場合、その導入によって、上記リスト（運用チェックリストデータと呼ぶ）に自動的に「満たしている」というチェックを入れることができれば便利である。
【００１３】
例えば、「ゲートウェイにアンチウィルス装置を導入すること」という項目が運用チェックリストデータ中に存在する場合、上記独自の運用管理システムによればアンチウィルス装置を導入し、運用チェックリストデータ中にチェックを入れる動作を実行する。従業員によるこのような作業の代わりに、アンチウィルス装置が導入され、それを情報システムを構成する商品データベースに登録しておけば、従業員に配布するリスト中から「ゲートウェイにアンチウィルス装置を導入すること」という項目が自動的に削除されるような仕組みを構築すれば、従業員にとってチェックすべき項目が減り、便利である。
【００１４】
本発明はこのような背景に基づきなされたものであり、その目的は、運用チェックリストデータを利用者に配信するシステムにおいて、情報システムの構成の変更を商品データベースに登録すれば、配信する運用チェックリストデータから、その装置の導入によって自動的に満たされる運用チェックリストデータを外すことが可能なシステムを提供することである。
【００１５】
なお、本特許において、各利用者（従業員等）には上記運用チェックリストデータが配信されるが、この配信は、データを利用者に提供できればよく、メールによる配信、単なるＴＣＰ／ＩＰによる通信、ＦＴＰによるデータ通信、等を利用可能である。また、Ｗｅｂサーバ上で公開し、閲覧可能な状態におくことも、本特許における「配信」の一態様である。
【課題を解決するための手段】
【００１６】
（１）本発明は、上記課題を解決するために、  サーバ装置と、端末装置と、から構成されるセキュリティポリシー運用管理システムにおいて、前記サーバ装置は、セキュリティポリシー及びセキュリティポリシーに対応して作成された運用チェックリストデータを記憶するセキュリティポリシー記憶手段と、情報システムを構成する商品に関する情報を格納した商品データベースと、前記セキュリティポリシー記憶手段内の運用チェックリストデータから、各利用者が遵守すべき運用チェックリストデータを抽出し、運用チェックリストデータを各利用者毎に生成する運用チェックリストデータ作成手段と、前記商品データベースを検索し、各商品を導入することによって満たされる運用チェックリストデータ以外の前記生成した運用チェックリストデータを、前記各端末装置に送信する運用チェックリスト送信手段と、を含み、前記端末装置は、前記サーバ装置から送信されてきた運用チェックリストデータを表示する端末側表示手段と、利用者が入力したデータであって、前記運用チェックリストデータに対する運用状況を表す報告データを、前記サーバに送信する報告送信手段と、を含むことを特徴とするセキュリティポリシー運用管理システムである。
【００１７】
運用チェックリストデータとは、典型的には、図５に示すようなチェックリストの如きデータを言う。セキュリティポリシーは、セキュリティのための規定・手順を示したものであるが、それを利用者に全部読ませて遵守させるのは一般には容易でないことがある。そこで、本特許においては、利用者が遵守すべき事項のみを個別に作成し、各利用者に提供しているのである。これを、本特許では、運用チェックリストデータと呼ぶ。
【００１８】
また、運用チェックリストデータの「送信」とは、いわゆるサーバプログラムと、クライアントプログラムとの間で通信を行う形式だけでなく、サーバ装置上で閲覧可能な状態におくことも含む。例えば、Ｗｅｂサーバ上で運用チェックリストデータを公開し、各利用者は自分宛の運用チェックリストデータを、Ｗｅｂブラウザで閲覧するように構成することも好ましい。Ｗｅｂブラウザを用いる場合でも、結局、運用チェックリストデータは各端末に送信されているので、本特許では、このような場合も含めて「送信」と呼ぶ。
【００１９】
報告データとは、運用チェックリストデータに対して、各事項の運用状況に関するデータを言い、例えば、実施したか否かに関する情報である。後述する図４においては、チェックリスト形式のデータの場合、報告データはチェックボックスに入れられた「チェック」の情報となる。
【００２０】
また、この報告データの「送信」とは、いわゆるサーバプログラムと、クライアントプログラムとの間で通信を行う形式だけでなく、サーバ装置上で運用チェックリストデータを閲覧している最中に、直接、その内容にデータを書き込むことも含む。つまり、図５のような画面をブラウザで表示し、その表示内容に直接チェックを入れることによって、サーバ装置にチェックに関する情報を直接アップロードすることも好ましい。
【００２１】
また、報告データを記憶手段に格納することは、いわゆる「ログ」を取ることを意味する。
【００２２】
本発明のような構成によれば、情報システムを構成する商品によって自動的に満たされるセキュリティポリシーの項目を運用チェックリストデータから削除しているので、利用者はチェックをするべき内容が減り、便利である。
【００２３】
（２）また、本発明は、セキュリティポリシー及びセキュリティポリシーに対応して作成された運用チェックリストデータを記憶するセキュリティポリシー記憶手段と、情報システムを構成する商品に関する情報を格納した商品データベースと、を備えたサーバ装置と、端末装置と、から構成されるセキュリティポリシー運用管理システムにおいて用いられる前記サーバ装置において、前記セキュリティポリシー記憶手段内の運用チェックリストデータから、各利用者が遵守すべき運用チェックリストデータを抽出し、運用チェックリストデータを各利用者毎に生成する運用チェックリストデータ作成手段と、前記商品データベースを検索し、各商品を導入することによって満たされる運用チェックリストデータ以外の前記生成した運用チェックリストデータを、外部に送信する運用チェックリスト送信手段と、を含むことを特徴とするサーバ装置である。
【００２４】
このような構成のサーバ装置によれば、（１）記載のセキュリティポリシー運用管理システムを構築することができる。換言すれば、このような構成のサーバ装置は、上記発明（１）と同様の作用効果を奏する。
【００２５】
（３）また、本発明は、（２）記載のサーバ装置として、コンピュータを動作させるプログラムにおいて、前記コンピュータに、前記セキュリティポリシー記憶手段内の運用チェックリストデータから、各利用者が遵守すべき運用チェックリストデータを抽出し、運用チェックリストデータを各利用者毎に生成する運用チェックリストデータ作成手順と、その後、前記商品データベースを検索し、各商品を導入することによって満たされる運用チェックリストデータ以外の前記生成した運用チェックリストデータを、外部に送信する運用チェックリスト送信手順と、を実行させることを特徴とするプログラムである。
【００２６】
このような構成によって、上記（２）と同様の作用・効果を奏することができる。
【発明の効果】
【００２７】
以上述べたように、本発明によれば、商品の導入によって実現されるセキュリティポリシーが強制され（enforceされ）、対応する運用チェックリストデータが利用者に配信する対象から外されるので、利用者の負担を減らすことができるセキュリティポリシー運用管理システムを実現することができる。
【発明を実施するための最良の形態】
【００２８】
以下、本発明の好適な実施の形態を図面に基づいて説明する。
【００２９】
実施の形態１
図１には、本発明の好適な実施の形態に係るセキュリティポリシー運用管理システム１０の構成を示す構成ブロック図である。この図に示すように、このセキュリティポリシー運用管理システム１０は、サーバ装置１２と、端末装置１４と、を備えている。サーバ装置１２と、各端末装置１４とは、ネットワーク１６によって接続されている。
【００３０】
Ａ．構成
１．サーバ装置
サーバ装置１２の構成が図２に示されている。この図に示すように、サーバ装置１２は、コンピュータから構成され、具体的には、セキュリティポリシー等を格納する記憶手段１２ａと、ネットワーク１６を介してデータを送受信する送受信手段１２ｂと、表示手段１２ｄと、さらに、運用チェックリストデータ生成手段１２ｅと、を備えている。
【００３１】
１．１  記憶手段
記憶手段１２ａは、ハードディスク等の記憶装置である。半導体記憶装置や、光学的各種ディスク装置等を用いることも好ましい。この記憶手段１２ａには、セキュリティポリシーと、運用チェックリストデータと、商品データベースと、各種プログラムと、が格納されている。
【００３２】
セキュリティポリシーは、情報セキュリティを達成するための規則等を定めた文章である。また、商品データベースは、その情報システムを構成する各商品のデータベースであり、各商品の導入によって満足する運用チェックリストデータの情報を含むものである。
【００３３】
この商品データベースの概念図が図３に示されている。この図に示すように、商品データベースは、各商品が並ぶテーブルであり、各商品が導入された場合に満足する運用チェックリストデータが記述されている。具体的には、運用チェックリストデータの項目番号等がこの商品データベースに格納されている。この項目番号は、同じく記憶手段１２ａ中に格納されている運用チェックリストデータの所定の項目を表す。
【００３４】
運用チェックリストデータは、複数項目からなるデータであり、セキュリティポリシーを遵守するために各員の行動・行為をチェックするためのデータである。この運用チェックデータは予め作成しておき、記憶手段１２ａに格納されている。各利用者毎に必要な項目は異なるので、後述するように、各利用者毎に必要な項目を抽出し、各利用者毎の運用チェックリストデータが作成され、個々に配信される。
【００３５】
また、記憶手段１２ａ中には、本実施の形態における運用チェックリストデータ生成手段１２ｅを構成するプログラムも格納されている。
【００３６】
１．２  送受信手段
送受信手段１２ｂは、ネットワーク１６との間で通信を行う手段である。具体的には、ネットワーク１６とのインターフェースと、そのドライバープログラム、各種プロトコルを実現するプロトコルスタック等のプログラムと、これらのプログラムを実行するプロセッサ（コンピュータ）とから構成される。このような送受信手段１２ｂは従来から知られているものであるので、当業者であれば容易に実施可能である。
【００３７】
１．３  表示手段
表示手段１２ｄは、いわゆるコンピュータディスプレイである。ＣＲＴや液晶表示装置、その他各種表示装置及びいわゆるビデオカードなどからなるものである。
【００３８】
１．４  運用チェックリストデータ生成手段
運用チェックリストデータ生成手段１２ｅは、各端末（利用者）に配信する運用チェックリストデータを生成する手段である。この運用チェックリストデータ算出手段１２ｅは、プログラムと、このプログラムを実行するプロセッサ（コンピュータ）とから構成される。なお、プログラムは、上記記憶手段１２ａに格納しておくことが好ましい。
【００３９】
２．端末装置
端末装置１４の構成が図４に示されている。この図に示すように、端末装置１４は、コンピュータで構成され、記憶手段１４ａと、ネットワーク１６を介してデータを送受信する送受信手段１４ｂと、プロセッサ１４ｃと、表示手段１４ｄと、を備えている。さらに、端末装置１４は、キーボード等の入力手段１４ｅを備えている。
【００４０】
端末装置１４は、従来のいわゆるパーソナルコンピュータを使用することが簡便であるが、その他各種ＰＤＡ（Personal Digital Assistant）や、ネットワークに接続可能な携帯型通信端末の如き構成を採用することも好ましい。
【００４１】
Ｂ．動作
以下、本実施の形態によるセキュリティポリシーの運用管理動作を詳細に説明する。これらの動作は、サーバ装置１２を構成するコンピュータ及び端末装置１４を構成するコンピュータがそれぞれプログラムを実行することによって、実行される。プログラムは、上記記憶手段１２ａ、１４ａに記憶されておくことも好ましいし、他の所定の記憶手段に記憶しておいてもよい。
【００４２】
なお、サーバ装置１２及び端末装置１４をいわゆるサーバ・クライアント形式で構成する場合、それぞれサーバプログラム、クライアントプログラムが各コンピュータにインストールされることが好ましい。
【００４３】
また、サーバ装置１２をＷｅｂサーバで構成し、端末装置１４には汎用的なＷｅｂブラウザを搭載し、このＷｅｂブラウザを用いてＷｅｂサーバであるサーバ装置１２の内容を閲覧するように構成することも好ましい。Ｗｅｂブラウザを用いた場合も、サーバ装置１２が公開している内容を閲覧することができ、また、Ｗｅｂブラウザ上で所定のデータを入力することによって、サーバ装置１２内に情報を直接書き込むことも可能である。その結果、ＷｅｂサーバとＷｅｂブラウザを用いた場合も、サーバ・クライアント形式の構成と同様の動作を実行することが可能である。
【００４４】
（１）まず、サーバ装置１２が、セキュリティポリシーに基づき、利用者が実行すべき運用対策を記した運用チェックリストデータを、ネットワーク１６を介して各端末装置１４に送信する。この送信動作は、送受信手段１２ｂが実行する。送受信手段１２ｂは、請求の範囲の運用チェックリスト送信手段の一例に相当する。
【００４５】
運用チェックリストデータの作成
運用チェックリストデータは、所定のタイミングで、運用チェックリストデータ生成手段１２ｅが逐次作成する。ここでは、毎日１回運用チェックリストデータが各従業員毎に作成されて、各従業員に配信される例を説明する。各従業員毎に作成されるとは、従業員佐藤氏向けの運用チェックリストデータが作成され、それとは別個独立に鈴木氏向けの運用チェックリストデータが作成されるように、各従業員毎に個別に作成・配信されることを意味する。
【００４６】
ステップ１
運用チェックリストデータを配信するタイミングが到来すると、運用チェックリストデータ作成手段１２ｅは、記憶手段１２ａ中の運用チェックリストデータから、各従業員向けの内容のみを抽出することによって、各従業員向けの運用チェックリストデータを作成する。この運用チェックリストデータを初期運用チェックリストデータと呼ぶ。
【００４７】
ステップ２
本実施の形態において特徴的なことは、送受信手段１２ｂが、この初期運用チェックリストデータから、商品構成データベースの内容によって所定の運用チェックリストデータを外して配信することである。
【００４８】
上述したように、記憶手段１２ａ中には、
・セキュリティポリシー
・商品データベース
が格納されている。
【００４９】
セキュリティポリシーは、文章である。また、セキュリティポリシーに対応する運用チェックリストデータが予め記憶手段１２ａに格納されている。運用チェックリストデータ生成手段１２ｅは、この記憶手段１２ａに記憶されている運用チェックリストデータから、各従業員に必要な項目を抽出して、上述したような初期運用チェックリストデータを生成する。どの従業員にどのルールが必要かは、予め決定し記憶しておく。
【００５０】
また、商品データベースは、情報システムの構成する各要素と、その要素によって自動的に満たされるセキュリティポリシーの項目（の番号）と、の表である。
【００５１】
送受信手段１２ｂは、商品データベースの内容を全数検査し、全要素に関して、その要素によって満たされる運用チェックリストデータの項目を選び出す。そして、運用チェックリストデータ作成手段１２ｅは、この選び出した運用チェックリストデータ以外の上記初期運用チェックリストデータを配信の対象とするのである。このようにして最終的に配信される運用チェックリストデータが決定される。
【００５２】
このように、本実施の形態において特徴的なことは、その情報システムを構成する商品のデータベースである商品データベースを参照することによって、利用者に配信しなくともよいセキュリティポリシーの項目を、配信する運用チェックリストデータから外したことである。これによって、各利用者に配信される運用チェックリストデータの量を減らすことができ、利用者の負担を減らすことが可能である。
【００５３】
このようにして、送受信手段１２ｂは端末装置１４に上記最終的な運用チェックリストデータを配信する。既に述べたように、送受信手段１２ｂがＷｅｂサーバであって、端末装置１４がいわゆるウェブブラウザを用いてこのＷｅｂサーバにアクセスするような動作も「配信」の１種である。
【００５４】
Ｗｅｂサーバが、配信の際に、データベースの内容によって配信内容を絞り込むことは従来のＷｅｂサーバで広く行われていることであり、当業者であれば、そのような機能を有するＷｅｂサーバを構築することは容易である。
【００５５】
（２）端末装置１４においては、送られてきた運用チェックリストデータを、表示手段１４ａが表示する。これによって、利用者は、自分がなすべき業務を容易に把握することができる。この表示の様子が図５に示されている。この運用チェックリストデータはチェックボックス式で表示され、各利用者は自分が実行したセキュリティポリシーの運用に関する業務をチェックボックスにチェックを入れることによって簡単に記録に残すことができる。
【００５６】
（３）各利用者が、自分が実行したセキュリティポリシーに関する業務を、上述したように、チェックボックスにチェックを入れることによって記録に残すと、この記録は、サーバ装置１２に送信される。すなわち、利用者が所定の項目にチェックを入れると、送受信手段１４ｂが、この情報をサーバ装置１２に送信するのである。この情報は、セキュリティポリシーの運用状況を表す報告データである。
【００５７】
なお利用者がチェックを入れる動作は、入力手段１４ｅを用いて実行する。入力手段１４ｅは、キーボードや、マウス等を利用することが好ましい。
【００５８】
（４）サーバ装置１２においては、送られてきた報告データが、送受信手段１２ｂによって受信される。
【００５９】
（５）受信した報告データは、記憶手段１２ａ中に順次格納される。これはいわゆる「ログを取る」動作である。
【００６０】
（６）サーバ装置１２の運用状況算出手段（不図示）は、記憶手段１２ａ中に格納された報告データに基づき、セキュリティポリシーの運用状況を算出する。算出した運用状況は、表示手段１２dに表示されることも好ましく、印刷の対象とするのも好ましい。
【００６１】
運用状況とは、例えば、各部門毎に、達成率をパーセンテージで示すものである。達成率は、例えば、その部署の利用者の１０名中５名がチェックを入れていれば達成率５０パーセントのように計算する。
【００６２】
得られた運用状況の例を示す概念図が図６に示されている。このように、各部門毎に達成度等を数値で表示する形態が好ましい。もちろん、他の形態を採用することも好ましい。
【００６３】
運用状況としては、種々の計算方法を採用することができる。従来から知られている数多くの運用状況の計算手法を本実施の形態（及び本発明）において採用することが可能である。
【００６４】
（７）求めたセキュリティポリシーの運用状況は、管理者に対して表示してもよいし、各部門毎に表示、印刷することも好ましい。表示手段１２ｄは、必要に応じて運用状況を表示する。これによって、経営陣やセキュリティ委員は、財務諸表を読むかのように、運用ステータスを容易に把握することができる。
【００６５】
運用チェックリストデータとは、例えば、図４に示すようなチェックリスト形式のデータが好ましいが、その他のデータ形式でももちろんかまわない。
【００６６】
本実施の形態によれば、利用者に配信される運用チェックリストデータが、その情報システムを構成する商品を考慮して絞り込んで配信されるので、利用者がチェックする必要のない項目を自動的に配信対象から外すことができる。その結果、利用者の負担を減少させることができる。
【図面の簡単な説明】
【００６７】
【図１】本実施の形態のセキュリティポリシー運用管理システムの構成ブロック図である。
【図２】本実施の形態のサーバ装置の構成を表す構成ブロック図である。
【図３】商品データベースの構成を示す概念図である。
【図４】本実施の形態の端末装置の構成を表す構成ブロック図である。
【図５】本実施の形態の運用チェックリストデータが表示される様子を示す説明図である。
【図６】本実施の形態の運用状況の例を示す説明図である。
【符号の説明】
【００６８】
１０  セキュリティポリシー運用管理システム
１２  サーバ装置
１２ａ  記憶手段
１２ｂ  送受信手段
１２ｄ  表示手段
１２ｅ  運用チェックリストデータ生成手段
１４  端末装置
１４ａ  記憶手段
１４ｂ  送受信手段
１４ｃ  プロセッサ
１４ｄ  表示手段
１４ｅ  入力手段
１６  ネットワーク
【図１】
2006172169.tif 000003
【図２】
2006172169.tif 000004
【図３】
2006172169.tif 000005
【図４】
2006172169.tif 000006
【図５】
2006172169.tif 000007
【図６】
2006172169.tif 000008